(57)【要約】  シェービング補助剤１０を電気シェーバー２０の切断ユニット２２に供給するための装置（１）が、シェーバー（２０）とは別個に配置され且つシェーバー（２０）を受容するよう構成されるスタンドアローン型ユニットとして設計される。この設計の結果、この供給装置（１）は、シェーバー（２０）内部に位置付けられる必要のある如何なる供給装置よりも多くのシェービング補助剤（１０）を収容するよう設計され得るので、使用者がシェービング補助剤（１０）を補充する必要は余り頻繁ではなくなる。供給装置は、さらに、シェーバー（２０）にシェービング補助剤（１０）を供給する機能以外の少なくとも１つの他の機能、例えば、シェーバー（２０）のシェービングヘッド（２１）を洗浄する機能及び／又はシェーバー（２０）の電池を充電する機能を遂行するための手段を含み得る。
2008523875.tif 000002
【特許請求の範囲】
【請求項１】
電気シェーバーにシェービング補助剤を供給するための装置であって、前記シェーバーとは別個に配置されるべきスタンドアローン型として設計される装置。
【請求項２】
前記シェーバーを受容し且つ保持するためのホルダを含む、請求項１に記載の装置。
【請求項３】
前記ホルダは、移動可能に配置される、請求項１に記載の装置。
【請求項４】
シェービング補助剤を前記シェーバーに塗布するための塗布手段を含み、前記シェーバーの機能的ユニットと前記シェービング補助剤との間の直接的な接触を可能にする、請求項１乃至３のうちのいずれかに記載の供給装置。
【請求項５】
前記塗布手段は、移動可能に配置される、請求項４に記載の供給装置。
【請求項６】
前記塗布手段を圧迫する圧力をもたらすための加圧手段を含む、請求項５に記載の供給装置。
【請求項７】
シェービング補助剤を吹き付けるための吹付け手段を含む、請求項１乃至３のうちのいずれかに記載の供給装置。
【請求項８】
残留物又はくずのような汚濁物を前記シェーバーから除去するための手段を含む、請求項１乃至７のうちのいずれかに記載の供給装置。
【請求項９】
電気シェーバーの構成素子にシェービング補助剤を供給するための装置であって、前記シェーバーとは別個に配置されることが意図され且つ前記シェーバー構成素子を受容し且つ保持するよう構成されるスタンドアローン型ユニットとして設計される装置。
【請求項１０】
電気シェーバーを受容し且つ処理するための装置であって、
前記シェーバーの機能的ユニットを洗浄するための洗浄手段と、
前記シェーバーにシェービング補助剤を供給するためのシェービング補助剤供給手段とを含む、
装置。
【請求項１１】
前記洗浄手段は、前記シェーバーの前記機能的ユニットと洗浄流体との間の接触を構築するよう構成される、請求項１０に記載の処理装置。
【請求項１２】
洗浄流体とシェービング補助剤との混合物を収容するための単一の容器を含む、請求項１１に記載の処理装置。
【請求項１３】
洗浄流体を収容するため並びにシェービング補助剤を収容するための別個の容器を含む、請求項１１に記載の処理装置。
【請求項１４】
前記シェーバーの電池を充電するための充電手段をさらに含む、請求項１０乃至１３のうちのいずれかに記載の処理装置。
【請求項１５】
残留物又はくずのような汚濁物を前記シェーバーから除去するための手段をさらに含む、請求項１０乃至１４のうちのいずれかに記載の処理装置。
【請求項１６】
電気シェーバーの構成素子を収容し且つ処理するための装置であって、
前記シェーバー構成素子を洗浄するための洗浄手段と、
前記シェーバー構成素子にシェービング補助剤を供給するためのシェービング補助剤供給手段とを含む、
装置。
【請求項１７】
電気シェーバーを受容し且つ処理するための装置であって、
前記シェーバーの電池を充電するための充電手段と、
前記シェーバーにシェービング補助剤を供給するためのシェービング補助剤供給手段とを含む、
装置。
【請求項１８】
電気シェーバーと上記請求項のうちのいずれか１項に記載の装置とを含むシステムであって、前記シェーバーと協働するよう構成される装置。
【発明の詳細な説明】
【技術分野】
【０００１】
本発明は、電気シェーバーにシェービング補助剤を供給するための装置、並びに、電気シェーバーの構成素子にシェービング補助剤を供給するための装置に関する。本発明は、さらに、電気シェーバーとシェーバーにシェービング補助剤を供給するための装置とを含むシステムに関する。
【背景技術】
【０００２】
電気シェーバーの回転可能カッターにシェービング補助剤を供給するための供給装置は、ＥＰ０８５８３８４号から既知である。既知の供給装置は、シェーバーに内蔵されており、シェービング液で充填されたホルダと、シェーバーのカッター付近に配置された出口開口に液を注入するためのポンプとを含む。ポンプ及びホルダは互いに取り外し可能に配置され、ポンプ及びホルダの両方はシェーバーに対して取り外し可能に配置されている。ホルダが空の場合には、シェービング液の一新された供給を得るために、シェーバーの使用者は空のホルダを満杯のホルダによって置換しなければならない。
【０００３】
電気シェーバーのカッターにシェービング補助剤を供給するための他の既知の装置は、ＥＰ１３５３９８２号に開示されている。この既知の供給装置は、シェーバーのカッターの周りに狭く嵌合されるよう構成された環状素子と環状素子に接続された中央表面との組合体を含み、潤滑ディスクが中央表面上に設けられている。潤滑ディスクが消耗すると、シェーバーの使用者はカッターから環状素子を取り外し、最新の潤滑ディスクを備える新しい環状素子をディスク上に配置しなければならない。
【０００４】
ＥＰ０８５８３８４号から既知の供給装置の不利点は、ホルダの空の場合に、使用者が空のホルダを満杯のホルダによって置換するために、かなり広範な行動を取らなければならないことである。具体的には、使用者はシェーバーから壁部分を取り除き、空のホルダを壁部分から分離し、満杯のホルダを壁部分に取り付け、そして、壁部分を所定位置に再び配置しなければならない。同様に、ＥＰ１３５３９８２号から既知の供給装置の場合には、潤滑ディスクが消耗している場合に、使用者は潤滑ディスクを取り外し、それを新しいものによって置換しなければならない。その上、両方の場合において、ホルダ及び潤滑ディスクの置換は、それぞれ、シェーバーが毎日のように使用されるときには、かなり頻繁に行われる必要がある。この不利点は、ホルダ及び潤滑ディスクのサイズがそれぞれ限定的であるという事実に関係する。ホルダの場合でさえも、手持ち機器であるシェーバーに内蔵されるので、そのサイズは一定の最大限度より大きくあってはならず、従って、重くなり過ぎたり或いは容量が大きくなり過ぎるようになることは許容されない。
【発明の開示】
【発明が解決しようとする課題】
【０００５】
本発明は従来技術の問題点を解決することを目的とする。
【課題を解決するための手段】
【０００６】
本発明は、電気シェーバーにシェービング補助剤を供給するための既知の装置のための代替を、シェーバーとは別個に構成されるべきスタンドアローン型ユニットとして設計される電気シェーバーにシェービング補助剤を供給するための装置の形態で提供する。
【０００７】
本発明に従った供給装置は多くの利点を有する。これらの利点の一部が今や述べられ且つ解明される。
【０００８】
第一に、本発明に従った供給装置が、シェーバーとは別個に構成されるべきスタンドアローン型ユニットとして設計されるという事実の故に、本装置は既知の装置よりも著しく大きな量のシェービング補助剤を収容し得る。従って、シェービング補助剤は余り頻繁に無くならず、シェービング補助剤を補充することを目標とする行動も余り頻繁に遂行される必要はない。
【０００９】
第二に、本発明に従った供給装置は、他の装置、例えば、シェーバーのシェービングヘッドを洗浄するための装置又はシェーバーを充電するための装置と容易に組み合わせられ得る。本発明に従った装置がシェーバーのシェービングヘッドを洗浄するための装置と組み合わされる場合には、洗浄流体とタルク粉末のような「乾式」シェービング補助剤との混合物をシェービングヘッドに供給し、洗浄流体を蒸発させることが可能であり、然る後、シェービング補助剤の層がシェービングヘッド上に得られる。
【００１０】
好ましくは、本発明に従った供給装置は、シェーバーを受容し且つ保持するためのホルダを含むので、供給装置の使用者がシェービング補助剤を適切に受容するための位置にシェーバーを配置し且つシェーバーをその位置に保持することは不要である。シェービング補助剤を受容する位置にシェーバーを出し入れ移動し得るために、ホルダは移動可能に配置され得る。
【００１１】
シェービング補助剤を塗布する様々な方法が存在する。例えば、本発明に従った供給ユニットは、シェーバーとある量のシェービング補助剤との直接的な接触を可能にするよう構成され得る。供給ユニットは、シェーバーにシェービング補助剤を塗布するための塗布手段を備え得る。その場合には、塗布手段は、例えば、シェービングユニットを容器から受容するための第一位置とシェーバーに接触するための第二位置との間で移動可能に配置され得る。他の実現可能な可能性によれば、供給ユニットは、シェービング補助剤を吹き付けるための吹付け手段を備え得る。
【００１２】
好適実施態様において、本発明に従った供給装置は、残留物又はくずのような汚濁物をシェーバーから除去するための手段を含む。シェービング補助剤が塗布されるべきシェーバーの地域は、例えば、シェービング補助剤の残留物によって汚濁され得る。供給装置が汚濁を除去するための手段を含むときには、シェービング補助剤が清浄地域に供給されることが達成される。本来的に、汚濁を除去するための手段は、シェービング補助剤を供給するステップが遂行される前に適用される。
【００１３】
供給装置は、電気シェーバーを受容し且つ保持し、シェービング補助剤をシェーバーの特定地域に供給するのに適し得るが、供給装置が、シェービング補助剤を電気シェーバーの構成素子に供給するのにも同様に適し得るという事実を変更しない。例えば、シェーバーのシェービングヘッドは、使用者がシェーバーからシェービングヘッドを取り外し、シェービングヘッドをシェーバー内に配置し、シェービング補助剤を供給するプロセスが遂行された後に供給装置からシェービングヘッドを取り外し、且つ、シェービングヘッドをシェーバー内の所定位置に再び配置し得るよう、取り外し可能に配置され得る。シェーバーが、シェービング補助剤を収容するための取り外し可能に配置されるカートリッジを含むことも可能であり、カートリッジは供給装置を用いて再充填され得る。
【００１４】
本発明は、電気シェーバーを受容し且つ処理するための装置にも関し、シェーバーの機能的ユニットを洗浄するための洗浄手段と、シェーバーにシェービング補助剤を供給するためのシェービング補助剤供給手段とを含む。そのような装置において、本発明に従った供給装置は、シェーバーの機能的ユニットを洗浄するための装置と組み合わされる。そのような組み合わせは極めて有利である。何故ならば、シェーバーの機能的ユニットを洗浄する機能とシェーバーにシェービング補助剤を供給するための機能の双方が、シェーバーが１つ且つ同一のホルダ内に保持されるときに、シェーバー上で遂行され得るからである。このようにして、２つの別個の装置が適用されなければならない状況が回避される。
【００１５】
普通、電気シェーバーの機能的ユニットは、切断手段が配置されるシェーバーの部分である。さらに、電気シェーバーの多くの実際的な実施態様において、機能的ユニットは、切り落とされた毛を受容するための所謂毛室を含む。通常、洗浄プロセスは、特に毛室を洗浄することに向けられる。
【００１６】
本発明の範囲内において、結合装置の洗浄手段によって洗浄プロセスが遂行される方法は、自由に選択され得る。実際的な実施態様において、洗浄手段は、シェーバーの機能的ユニットと洗浄流体との間の接触を構築するよう構成される。そのような実施態様において、シェーバーの機能的ユニットは、洗浄流体の流れの影響下で洗浄され、その場合には、流れは、例えば、シェーバーの可動に配置される切断手段の活性化によって生成され得る。
【００１７】
好適実施態様において、結合装置は、洗浄流体とシェービング補助剤との混合物を収容するための単一の容器を含む。混合物がシェーバーに供給されるとき、シェーバーの機能的ユニットを洗浄するプロセス並びにシェービング補助剤の層をこの機能的ユニット、具体的には、切断手段に塗布するプロセスは、多かれ少なかれ同時に起こる。結合された洗浄及び供給プロセスの終わりに、洗浄流体は洗浄及び蒸発によって除去されるのに対し、シェービング補助剤は残留する。本発明の範囲内で、結合装置が洗浄流体及びシェービング補助剤を収容するための別個の容器を含むこと、並びに、結合装置がシェーバーの機能的ユニットを洗浄するプロセス及びシェービング補助剤の層をこの機能的ユニットに塗布するプロセスをその順序で遂行するよう構成されることも可能である。
【００１８】
有利に、結合装置は、シェーバーの電池を充電するための充電手段も含む。その上、結合装置は、シェーバーから汚濁物を除去するための手段を含み得る。
【００１９】
結合装置は、電気シェーバーを受容し且つ保持し、シェーバーのシェービングユニットを洗浄し、シェーバーの特定地域にシェービング補助剤を供給するのに適し得るが、結合装置が電気シェーバーの構成素子のみを処理するのにも同様に適し得るという事実を変更しない。従って、本発明は、電気シェーバーの構成素子を受容し且つ処理するための装置にも関し、シェーバー構成素子を洗浄するための洗浄手段と、シェーバー構成素子にシェービング補助剤を供給するためのシェービング補助剤供給手段とを含む。シェーバーを処理するための結合装置に関する上述の可能性は、シェーバー素子がシェーバーの電池を含まない場合に結合装置が充電手段をさらに含む可能性を除き、シェーバー構成素子を処理するための結合装置にも同様に当て嵌まる。
【００２０】
本発明は、さらに、シェーバーの電池を充電するための手段と、シェーバーにシェービング補助剤を供給するためのシェービング補助剤供給手段とを含む、電気シェーバーを受容し且つ処理するための装置にも関する。
【００２１】
本発明は、電気シェーバーとシェーバーにシェービング補助剤を供給するための装置とを含むシステムにも関する。
【００２２】
図面を参照して本発明を今やより詳細に説明する。図面中、類似部分は同一参照符号によって表示されている。
【発明を実施するための最良の形態】
【００２３】
図１ａ乃至１ｄは、電気シェーバー２０のシェーバーヘッド２１にシェーバー補助剤１０を供給するための第一装置１と、第一供給装置１内に配置されたシェーバー２０とを示している。
【００２４】
電気シェーバー２０自体は既知であり、シェーバーヘッド２１を含み、シェーバーヘッド上には、使用者の毛を実際に切り落とすための多数の切断ユニット２２が取り付けられている。シェーバー２０の操作中、切断ユニット２２は、シェーバーの電気駆動ユニット（図示せず）によって駆動され、電力は充電可能な電池（図示せず）によって供給される。使用者が切断ユニット２２を備えるシェーバーヘッド２１を彼の皮膚に対して移動するとき、皮膚から伸びる毛は切断ユニット２２によって切り落とされる。切断ユニット２２及びその動作のさらなる詳細については、ＥＰ０７１９２０３号が参照される。
【００２５】
シェーバーヘッド２１の他に、電気シェーバー２０はグリップ部分２３を含み、グリップ部分は多くの機能を含み、それらの中には、使用者にシェーバー２０を堅く握ることを可能にし、電池及び電気駆動ユニットを収容することがある。
【００２６】
第一供給装置１は、シェーバー２０を支持するよう構成された筐体３０を含む。この目的のために、筐体３０は、支持表面３１を含み、支持表面は、シェーバー２０のグリップ部分２３の実質的な部分を包含し得るよう成形されている。筐体３０内に位置付けられるシェーバー２０を固定する目的のために、第一供給装置１は、接続部材３２を含み、接続部材は、シェーバー２０のグリップ部分２３の端部を係合する状態に配置するべく使用者によって操作可能である。図示の実施例において、接続部材３２はレバー３３を用いて操作可能であり、レバー３３の第一位置又は閉塞位置は、接続部材３２がシェーバー２０のグリップ部分２３の端部と係合する接続部材３２の状態に対応し、レバー３３の第二位置又は開放位置は、接続部材３２がシェーバー２０のグリップ部分２３の端部と係合可能ではない接続部材３２の状態に対応する。よって、シェーバー２０が第一供給装置１の筐体３０内に位置付けられるとき、シェーバー２０はレバー３３を開放位置から閉塞位置に移動することによって固定される。その後、シェーバー２０はレバー３３を閉塞位置から開放位置に移動することによって解放される。
【００２７】
有利に、接続部材３２は、シェーバー２０が筐体３０内に位置付けられ且つレバー３３が閉塞位置にあるときにシェーバー２０の電気接触部材（図示せず）に電気的に接触するための電気接触部材３４を含む。それぞれの接触部材の間の電気接触は、シェーバー２０の電池を充電するために使用され得る。
【００２８】
筐体３０内部には、シェービング補助剤１０を収容するための容器１５が配置されている。シェービング補助剤１０は、例えば、粉末又はペーストの形態であり得る。
【００２９】
シェービング補助剤１０を切断ユニット２２に供給する目的のために、第一供給装置１は、多数の塗布ユニット４０を含み、塗布ユニットは実質的に垂直方向に可動に配置されている。塗布ユニット４０の構造は、シェーバー２０のシェーバーヘッド２１上の切断ユニット２２の構造に対応している。シェーバー２０が第一供給装置１内に位置付けられるときに、シェーバー２０のシェーバーヘッド２１は塗布ユニット４０の上にあるよう、塗布ユニット４０は、筐体３０のベース部分３５内に配置される。図示の実施例において、塗布ユニット４０は、円筒形シャフト４２によって支持されたディスク形状情報部分４１を含む。円筒形シャフト４２は、筐体３０のベース部分３５内の案内通路３６内に延びている。
【００３０】
シェービング補助剤１０を収容するための容器１５は、塗布ユニット４０が配置される側に開口１６を有する。シェービング補助剤１０が容器１５内部に留まる必要があるときに開口１６を閉塞するための、並びに、シェービング補助剤１０が塗布ユニット４０の上方部分４１に供給される必要があるときに開口１６を閉塞解除するための如何なる適切な手段も提供され得る。その上、容器１５の開口１６が閉塞解除されているときにシェービング補助剤１０が容器１５から塗布ユニット４０の上方部分４１に流れることを保証するための如何なる手段も提供され得る。図１ａ乃至１ｄには、容器の底部１７が開口１６に向かう方向に傾斜していることが示されている。よって、重力の影響の下で、容器１５内部のシェービング補助剤１０の流れが得られることが保証される。
【００３１】
シェーバー２０が第一供給装置１内に位置付けられるとき、シェーバー２０のシェービングヘッド２１は、塗布ユニット４０が配置され且つ容器１５の開口１６がある地域を覆うカバー３７の直ぐ上に位置付けられる。カバー３７は孔３８を備える。孔３８の寸法は、孔３８が上方部分３８を通させ得るよう、塗布ユニット４０のこれらの上方部分４１の寸法に適合されている。
【００３２】
図１ａ乃至１ｄには、シェービング補助剤１０をシェーバー２０の切断ユニット２２に供給するプロセスにおける４つのステップが例証されている。
【００３３】
図1ａには、第一供給装置１の開始状態が示されている。開始状態において、容器１５の開口１６は閉塞され、塗布ユニット４０の上方部分４１は開口１６の直ぐ下のレベルに位置付けられている。
【００３４】
開始状態から開始して、容器１５の開口１６が閉塞解除されているときには、塗布ユニット４０の上方部分４１に向かうシェービング補助剤１０の流れが得られる。所定量のシェービング補助剤１０が塗布ユニット４０に供給されるや否や、開口１６は再び閉塞される。第一供給装置１の得られた状態が図１ｂに示されており、そこでは、シェービング補助剤１０は塗布ユニット４０の上方部分４１上に存在し、容器１５の開口１６は再び閉塞されている。
【００３５】
シェービング補助剤１０をシェーバー２０の切断ユニット２２に供給するために、塗布ユニット４０は切断ユニット２２に向かって移動される。そのプロセスにおいて、塗布ユニット４０のシャフト４２は、筐体３０のベース部分３５内の案内通路３６内を摺動する。塗布ユニット４０の移動をもたらすために、如何なる適切な手段をも設け得る。上方部分４１が容器１５の開口１６の下のレベルからより高いレベルに移動した塗布ユニット４０の位置が図１ｃに示されている。
【００３６】
塗布ユニット４０は、上方部分４１がカバー３７を通り、上方部分４１上のシェービング補助剤１０がシェーバー２０の切断ユニット２２に達するまで、筐体３０のベース部分３５に対してさらに移動される。その瞬間に、シェービング補助剤１０を切断ユニット２２に供給するプロセスが完了する。シェービング補助剤１０が切断ユニット２２を押されることを達成するために、第一供給装置１は、塗布ユニット４０を圧迫する圧力をもたらす手段を含み得る。
【００３７】
シェービング補助剤１０が塗布ユニット４０の上方部分４１からシェーバー２０の切断ユニット２２に移転された後、塗布ユニット４０は引っ込められ、第一供給装置１は再び開始状態に置かれる。そのときに、シェーバー２０は第一供給装置１から取り出され、シェービング動作に使用される準備ができる。
【００３８】
第一供給装置１を使用することによって、使用者がシェービング補助剤１０をシェーバー２０の切断ユニット２２に供給するのは極めて容易である。使用者が行う必要のある全てのことは、シェーバー２０を第一供給装置１内に位置付け、レバー３３を閉塞位置に置き、そして、シェービング補助剤１０が塗布ユニット４０の上方部分４１に供給され且つ塗布ユニット４０がシェーバー２０のシェービングヘッド４１に向かって移動されるプロセスを開始することである。第一供給装置１は、シェーバー２０が装置１内に位置付けられ且つレバー３３が開放位置から閉塞位置に置かれるときに、シェービング補助剤１０をシェーバー２０の切断ユニット２２に自動的に供給するプロセスを開始するよう構成され得る。シェービング補助剤１０をシェーバー２０の切断ユニット２２に供給するプロセスが使用者によって開始されなければないことも可能であり、その場合には、第一供給装置１は使用者からの入力を受信するためのボタン又は類似物を備える。
【００３９】
第一供給装置１が、シェーバー２０のグリップ部分２３の実質的部分を支持するための支持表面３１と、シェーバー２０を装置１内に係止するための接続部材３２とを含むことは必要ではない。シェーバー２０を支持し且つ保持するよう構成された装置１が適用される場合には、上方部分４１がカバー３７内の孔３８を通じて延びる状態に装置１があるとき、使用者自身がシェーバー２０を塗布ユニット４０の上方部分４１に対して押し付ける。
【００４０】
カバー３７は第一供給装置１の本質的な構成部分ではないが、このカバー３７を有することが好ましい。何故ならば、それは装置１の清潔な設計に寄与するからである。
【００４１】
図２は、シェービング補助剤１０を電気シェーバー２０のシェービングヘッド２１に供給するための第二供給装置２と、第二供給装置２内に位置付けられたシェーバー２０とを示している。
【００４２】
第二供給装置２は、かなりの程度まで第一供給装置１と類似している。これらの２つの装置の間の相違は、塗布されるシェービング補助剤１０の形態、並びに、シェービング補助剤１０が塗布ユニット４０の上方部分４１に供給される方法に関係する。
【００４３】
第二供給装置２において、シェービング補助剤１０は離散的なブロック１１の形態で提供されている。例えば、ブロック１１は、シェービング補助剤１０の接着性タブレット、或いは、シェービング補助剤１０のタブレットが一体化されたクリックオン構成素子を含み得る。好ましくは、ブロック１１は容器１５内部にマガジン状に積み重ねて収容され、そこには、積重ねの下側にあるブロック１１を、開口１６を通じて、容器１５から塗布ユニット４０の上方部分４１に押し出すための押出し手段１２が設けられている。押出し手段１２は、如何なる適切な手段をも含み得るし、例えば、バネ１３を備え得る。図２において、ブロック１１が移動する方向は矢印を用いて表示されている。
【００４４】
図３は、シェービング補助剤１０を電気シェーバー２０のシェービングヘッド２１に供給するための第三装置３と、第三供給装置３内に位置付けられるシェーバー２０とを示している。
【００４５】
第一供給装置１及び第二供給装置２と同様に、第三供給装置３は、シェーバー２０のグリップ部分２３の実質的な部分と接触するための支持表面３１を有する筐体３０と、シェーバー２０のグリップ部分２３の端部分と係合するための接続部材３２と、シェービング補助剤１０を収容するための容器１５とを含む。
【００４６】
第三供給装置３は、シェーバー２０の切断ユニット２２に流体を供給するよう構成され、流体を吹き付けるために加圧され得るスプレーのような適切な手段を含む。図３において、容器１５からシェーバー２０のシェービングヘッド２１への流体の供給は、矢印を用いて概略的に描写されている。流体をシェーバー２０の切断ユニット２２に供給するための手段の実際的な実施態様は図示されていない。
【００４７】
第三供給装置３は、液体形態のシェービング補助剤１０のような流体、又は、流体及び固体シェービング補助剤粒子の混合物を供給するのに適している。固体シェービング補助剤粒子を含有する流体の場合には、流体が蒸発し且つシェービング補助剤の層が切断ユニット２２上に残るや否や、シェーバー２０は利用される準備が出来ている。
【００４８】
第三供給装置３において、流体は、切断ユニット２２にシェービング補助剤の層をもたらす目的のために、シェーバー２０の切断ユニット２２に供給される。本発明の範囲内において、流体はシェーバー２０のシェービングヘッド２１、具体的には、切り落とされた毛を受容するためにシェービングヘッド２１内に配置される毛室（図示せず）を洗浄するための洗浄流体であること、並びに、シェービング補助剤を切断ユニット２２に供給するプロセスがシェービングヘッド２１を洗浄するプロセスと組み合わされることが可能である。この点に関して、洗浄流体をシェービングヘッド２１上に吹き付けるための装置は、例えば、米国特許第５，７１１，３２８号から既知である。
【００４９】
洗浄流体の供給とシェービング剤としてのタルクとを組み合わせる様々な方法が、図４ａ乃至４ｄによって例証されている。これらの図面において、洗浄流体及びタルクによって辿られる経路は、矢印を用いて概略的に表示されている。
【００５０】
図４ａに例証されるような第一の可能性によれば、シェーバー２０のシェービングヘッド２１を洗浄し且つシェーバー２０の切断ユニット２２にタルクを供給するための装置は、洗浄流体及びタルクの混合物を収容する単一の容器１５を含む。この混合物をシェーバー２０に供給することによって、シェーバー２０は洗浄され、同時に、タルクを備える。洗浄流体が洗い流されると、シェーバー２０は使用の準備が出来ている。好ましくは、洗浄流体が後続の洗浄プロセスのために使用され得るよう、洗浄流体は容器１５に供給し戻される。
【００５１】
図４ｂによって例証されるような第二の可能性によれば、シェーバー２０のシェービングヘッド２１を洗浄し且つシェーバー２０の切断ユニット２２にタルクを供給するための装置は、２つの別個の容器を含み、その場合には、一方の容器１５は、タルクを収容するために働くのに対し、他方の容器１８は洗浄流体を収容するために働く。シェーバー２０のシェービングヘッド２１を洗浄するプロセス及びシェーバー２０のシェービングヘッド２１にタルクを供給するプロセスの組み合わせが開始されると、タルクが洗浄流体に沿ってシェーバー２０に運搬されるよう、洗浄流体はある量のタルクを通じて伝達される。洗浄流体及びタルクの双方をシェーバー２０に供給することによって、シェーバー２０は洗浄され、同時に、タルクを備える。洗浄流体が洗い流されると、シェーバー２０は使用のための準備が出来ている。好ましくは、洗浄流体が後続の洗浄プロセスで使用され得るよう、洗浄流体は容器１８に供給し戻される。
【００５２】
図４ｃによって例証されるような第三の可能性によれば、シェーバー２０のシェービングヘッド２１を洗浄し且つシェーバー２０の切断ユニット２２にタルクを供給するための装置は、２つの別個の容器を含み、その場合には、一方の容器１５はタルクを収容するために働くのに対し、他方の容器１８は洗浄流体を収容するために働く。その上、装置は、シェーバー２０への洗浄流体の流れ又はタルクの流れを可能にする弁１９又は類似手段を含む。このようにして、先ず、シェーバー２０を洗浄プロセスに晒し、洗浄プロセスが起こった直ぐ後に、シェーバー２０へタルクを供給することが可能である。好ましくは、洗浄プロセスの終わりに、洗浄流体が後続の洗浄プロセスで使用され得るよう、洗浄流体は容器１８に供給し戻される。
【００５３】
図４ｄによって例証されるような第四の可能性によれば、シェーバー２０のシェービングヘッド２１を洗浄し且つシェーバー２０の切断ユニット２２にタルクを供給するための装置は、２つの別個の容器を含み、その場合には、一方の容器１５はタルクを収容するために働くのに対し、他方の容器１８は洗浄流体を収容するために働く。装置は、シェーバー２０への洗浄流体及びタルクの別々の供給を実現するよう構成されている。従って、シェーバー２０のシェービングヘッド２１を洗浄するプロセス及びシェーバー２０の切断ユニット２２にタルクを供給するプロセスは同時に遂行され得るが、これらのプロセスは連続的にも遂行され得る。その場合には、後者の可能性が好ましい。洗浄流体が後続の洗浄プロセスのために使用され得るよう、洗浄プロセスの終わりに、洗浄流体が容器１８に供給し戻されることが好ましい。
【００５４】
図５において、電気シェーバー２０のシェービングヘッド２１を洗浄し且つシェービング補助剤１０をシェーバー２０の切断ユニット２２に供給するための装置が示されており、参照番号４によって表示されている。以下において、簡潔性のために、電気シェーバー２０のシェービングヘッド２１を洗浄し且つシェービング補助剤１０をシェーバー２０の切断ユニット２２に供給するための装置は、結合装置として言及される。その上、図５において、第一結合装置４におけるシェーバー２０の２つの可能な位置が示されている。
【００５５】
第一結合装置４の１つの部分４ａは、シェーバー２０のシェービングヘッド２１を洗浄するよう構成され、以下において洗浄ユニット４ａとして言及されるのに対し、第一結合装置４の他のユニット４ｂはシェーバー２０の切断ユニット２２にシェービング補助剤１０を供給するよう構成され、以下において供給ユニット４ｂとして言及される。
【００５６】
第一結合装置４において、洗浄ユニット４ａ及び供給ユニット４ｂは互いに接続されている。供給ユニット４ｂは、シェービング補助剤１０を収容するための開放容器１５を含む。シェーバー２０の切断ユニット２２にシェービング補助剤１０を塗布する目的のために、使用者はシェービング補助剤１０上にシェーバー２０のシェービングヘッド２１を押し付ける必要がある。好ましくは、使用者は、シェービングヘッド２１が第一結合装置４の洗浄ユニット４ａを用いて洗浄された後にこの動作を遂行する。洗浄ユニット４ａが設計され且つ適用される方法が今や説明される。
【００５７】
図１ａ乃至１ｄ、２、及び、３に示されるような供給装置１，２，３と同様に、第一結合装置４の洗浄ユニット４ａは、シェーバー２０のグリップ部分２３の実質的な部分と接触するための支持表面３１を有する筐体３０と、シェーバー２０のグリップ部分２３の端部分と係合するための接続部材３２と、接続部材３２を作動するためのレバー３３とを含む。シェーバー２０を支持し且つ保持するよう構成された筐体３０の上方部分３９は、実質的垂直方向に移動可能に配置されている。筐体３０の上方部分３９を変位する目的のために、如何なる適切な変位手段５０をも適用し得る。一例として、図５には、変位手段５０の１つの可能な実施態様が示されている。変位手段５０は、電気モータ５１と、変速ギア５２と、筐体３０の上方部分３９上に配置されたギアラック５２とを含む。電気モータ５１の出力シャフト５４が、変速ギア５２と係合するよう適合される逃げ(relief)５５を備える。出力シャフト５４が回転されると、出力シャフト５４上の逃げ５２と電気モータ５１の変速ギア５４との間の協働が、変速ギア５２を回転させる。電気モータ５１の出力シャフト５４上の逃げ５５の他に、変速ギア５２は筐体３０の上方部分３９上に配置されたギアラック５３と係合する。この構成の結果として、変速ギア５２の回転は筐体３０の上方部分３９の変位を引き起こす。
【００５８】
筐体３０のベース部分３５には、洗浄流体６０を収容するための溜まり６１(basin)が配置されている。第一結合装置４は、さらに、洗浄流体６０を収容するための容器１８を含み、それは洗浄流体６０を溜まり６１に供給するのに適し、溜まり６１よりも上のレベルに配置される。容器１８と溜まり６１との間の通路６２が、弁玉６３を用いて閉塞可能である。
【００５９】
溜まり６１の開放頂部側が、２つの板形状の旋回可能な閉塞部材６４を用いて閉塞可能である。閉塞部材６４は、通常、洗浄流体６０の蒸発を制限するために閉塞部材６４は溜まり６１を閉塞する閉塞位置にある。通常、閉塞部材６４を閉塞位置に維持するが、閉塞部材６４の開放位置を可能にする目的のために、バネ（図示せず）のような適切な手段が設けられる。
【００６０】
シェーバー２０が第一結合装置４の洗浄ユニット４ａの筐体３０の上方部分３９に位置付けられ、且つ、洗浄ユニット４ａが活性化されるとき、変位手段５０は、筐体３０の上方部分３９の所定上方位置から開始して、筐体３０の上方部分３９を下げるよう動作される。プロセス中、シェーバー２０のシェービングヘッド２１を取り囲む筐体３０の上方部分３９の一部は閉塞部材６４に対して押し付けられ、それによって、閉塞部材６４を閉塞位置から開放位置に配置する。シェービングヘッド２１が溜まり６１内に存在する洗浄流体６０内に浸漬され、且つ、筐体３０の上方部分３９が所定下方位置に至ると、筐体３０の上方部分３９の変位は停止される。
【００６１】
洗浄プロセスは、シェーバー２０の活性化を含み、そこでは、切断ユニット２２が回転される。筐体３０の上方部材の変位並びにシェーバー２０の動作を制御する目的のために、第一結合装置４は制御ユニット（図示せず）を含む。切断ユニット２２の回転動作の故に、切断ユニット２２の有効な洗浄プロセスが得られる。
【００６２】
洗浄プロセスは、シェーバー２０を止め、変位手段５０を活性化して筐体３０の上方部分３９上方位置に上げることによって完了される。プロセス中、閉塞部材６４は閉塞位置に戻る。シェービングヘッド２１の背後に残存する洗浄流体が蒸発した後、シェーバー２０は筐体の上方部分３９から外され、シェービング動作において使用される準備が出来る。シェーバー２０の使用者がシェービング補助剤１０を塗布することを欲する場合には、彼は第一結合装置４の供給ユニット４ｂの容器１５内に存在するシェービング補助剤１０にシェーバー２０のシェービングヘッド２１を押し付ける。図５において、第一結合装置４の洗浄ユニット４ａから第一結合装置４の供給ユニット４ｂへのシェーバー２０の動作は、湾曲矢印を用いて概略的に表示されている。
【００６３】
本発明の範囲内において、第一結合装置４の洗浄ユニット４ａの設計は、図５を参照して記載されたような設計から逸れ得る。第一結合装置４の具体的な特徴は、この装置４がシェービング補助剤１０を収容するための開放容器１５を有する供給ユニット４ｂを含むことである。
【００６４】
使用者が図５に示されるような第一結合装置４を適用するとき、彼は装置４の供給ユニット４ｂにシェーバー２０を移動し、シェービング補助剤１０をシェーバー２０に塗布するために、供給ユニット４ｂの容器１５内に存在するシェービング補助剤１０にシェーバー２０のシェービングヘッド２１を押し付ける必要がある。本発明の範囲内において、代替的な結合装置が可能であり、それは使用者により便利な方法でシェービング補助剤１０をシェーバー２０に供給する機能を遂行するよう構成される。図６乃至８には、３つのそのような代替的な結合装置が示されている。
【００６５】
図６には、洗浄ユニット５ａと供給ユニット５ｂとを有する第二結合装置５が示されている。第二結合装置５の洗浄ユニット５ａは、第一結合装置４の洗浄ユニット４ａに対応する。供給ユニット５ａは、シェービング補助剤１０を収容するための容器１５と、シェーバー２０のシェービングヘッド２１上にシェービング補助剤１０を吹き付けるために容器１５の頂部上に位置付けられたスプレー４３とを含む。スプレー４３は、筐体３０の上方部分３９が上方位置にあるときにシェーバー２０がシェービングヘッド２１のレベルと対応するレベルに配置されている。図６には、もうもうと吹き付けられたシェービング補助剤１０が概略的に描写されている。
【００６６】
スプレー４３は第二結合装置５の使用者によって制御され得るし、例えば、ボタンを供え得る。その場合には、使用者がボタンを押し下げると、スプレー４３はもうもうたるシェービング補助剤１０を解放するよう作動される。他の選択肢によれば、スプレー４３は第二結合装置５の制御ユニットによって制御され、それも洗浄プロセスを制御するために使用される。好ましくは、そのような場合には、制御ユニットは、洗浄プロセスが起こった後にスプレー４３を活性化するようプログラムされる。
【００６７】
図７は、第三結合装置６の筐体３０のベース部分３５の上面図を示している。このベース部分３５は、洗浄流体を収容するための溜まり６１と、溜まり６１を閉塞するための閉塞部材６４とを含む。閉塞位置にある閉塞部材６４の直ぐ上の位置に、シェーバー２０の切断ユニット２２上にシェービング補助剤１０を吹き付けるためのノズル４４が配置されている。これらのノズル４４の構造は、各ノズル４４が関連する切断ユニット２２上にシェービング補助剤１０を直接的に吹き付け得るよう、シェーバー２０のシェービングヘッド２１上の切断ユニット２２の構造に適合される。第三結合装置６は、シェービング補助剤１０（図示せず）の供給、例えば、第二結合装置５に関して図示されたようなスプレー４３を含み、その場合には、ノズル４４はこの供給に接続される。
【００６８】
図８には、洗浄ユニット７ａと供給ユニット７ｂとを有する第四結合装置７が示されている。第四結合装置７の洗浄ユニット７ａは、第一結合装置４の洗浄ユニット４ａに対応する。供給ユニット７ｂは塗布器スライダ４５を含み、塗布器スライダは、実質的に水平方向に移動可能であり、且つ、洗浄流体を収容する溜まり６１を閉塞するために、閉塞部材６４のレベルの直ぐ上のレベルに配置されている。図８において、塗布器スライダ４５が実質的に水平方向に移動可能であるという事実は、二重矢印を用いて概略的に表示されている。
【００６９】
塗布器スライダ４５を変位する目的のために、変位手段７０が設けられている。図示の実施例において、塗布器スライダ４５を変位するための変位手段７０は、筐体３０の上方部分３９を変位するための変位手段５０と同一の構成素子を含み、同様に機能する。故に、塗布器スライダ４５を変位するための変位手段７０は、電気モータ７１と、変速ギア７２と、塗布器スライダ４５上に配置されたギアラック７３とを含む。電気モータ７１の出力シャフトが、変速ギア７２と係合するよう適合される逃げ７５を備える。
【００７０】
好ましくは、供給ユニット７ｂは、シェーバー２０のシェービングヘッド２１が洗浄プロセスに晒された後に動作される。このプロセスが行った後、筐体３０の上方部分３９は上方位置に配置され、ある量のシェービング補助剤１０を運搬する塗布器スライダ４５の一部をシェーバー２０のシェービングヘッド２１と閉塞部材６４との間で移動することが可能である。引き続き、筐体３０の上方部分３９を変位するための変位手段５０は、筐体３０の上方部分３９をシェーバー２０のシェービングヘッド２１が塗布器スライダ４５上に存在するシェービング補助剤１０と接触する位置に下げるよう動作される。この接触の結果として、シェービング補助剤１０はシェーバー２０の切断ユニット２２に塗布される。シェービング補助剤１０を供給するプロセスが行った後、筐体３０の上方部分３９を変位するための変位手段５０は、筐体３０の上方部分３９を再び上方位置に配置するよう動作され、然る後、塗布器スライダ４５を変位するための変位手段７０は、閉塞部材６４よりも上の地域が再び妨害されないよう、塗布器スライダ４５を引っ込めるよう動作される。
【００７１】
好適実施態様において、塗布器スライダ４５は、シェーバー２０にシェービング補助剤１０を塗布する目的のために使用されるのに適するのみならず、洗浄流体６０を収容する溜まり６１を閉塞する目的のために使用されるのにも適する。そのような実施態様では、閉塞部材６４は省略され得る。
【００７２】
第一結合装置４と他の記載された結合装置５乃至７との間の相違は、この装置４がシェーバー２０にシェービング補助剤１０が塗布されるプロセス中にシェーバー２０を保持するためのホルダ又は類似物を含まないことである。シェーバー２０にシェービング補助剤１０を塗布する目的のために、第一結合装置４内にシェーバー２０を注意深く位置付けることが不要であるという事実は、この装置４の使用が比較的簡単であるという利点、並びに、供給プロセスが少しの時間しか必要とせず、如何なる所望の瞬間に、シェービング動作中にさえ遂行され得るという利点を有する。結果的に、第一結合装置４が使用されるとき、望まれるならば、シェービング動作中に幾らかの余分なシェービング補助剤１０を加えることが極めて可能である。
【００７３】
図示の結合装置４乃至７の洗浄ユニットは、本出願人名義の欧州特許出願に開示されているような多数の洗浄装置とかなりの程度まで類似していることが付記される。本発明の範囲内において、洗浄ユニットは開示されている洗浄装置として設計されることが可能である。
【００７４】
本発明の範囲は前記に議論された実施例に限定されず、添付の請求項に定められるような本発明の範囲から逸脱することなしに、それらの幾つかの補正及び変更が可能であることは当業者に明らかであろう。
【００７５】
第一供給装置１に関連して記載された電気接触部材３４は、他の供給装置２及び３並びに結合装置４乃至７の一部であり得る。換言すれば、１つの装置において、シェービング補助剤１０をシェーバー２０に塗布することを他の機能、具体的には、シェーバー２０のシェービングヘッド２１を洗浄する機能並びにシェーバー２０の電池を充電する機能と組み合わせ得る。
【００７６】
記載されている実施例において、シェービング補助剤１０はシェーバー２０の機能的ユニットに直接的に塗布される。しかしながら、それは、例えば、切断ユニット２０の直ぐ下の場所で、シェーバー２０内に配置される容器、空洞、又は、類似物にシェービング補助剤１０を供給するために、供給装置１乃至７も適用し得る事実を変更せず、その場合には、容器、空洞、又は、類似物は、シェービング補助剤１０を切断ユニット２２に供給するよう構成される。シェービング補助剤１０を受容する目的のために毛室を使用することは実際的な可能性である。
【００７７】
結合装置４乃至７の供給ユニットは、洗浄ユニットと独立して機能し得る。従って、これらの供給ユニットは、別個の供給装置として遂行され、その場合には、溜まり６１及び容器１８のような構成素子は省略され得る。しかしながら、シェーバー２０のシェービングヘッド２１を洗浄する機能とシェービング補助剤１０をシェーバー２０の切断ユニット２２に塗布する機能とを組み合わせることは極めて有利である。何故ならば、シェーバーが１つ且つ同一のホルダ内に保持されるとき、両方の機能はシェーバー２０上で遂行され得るからである。そのような場合には、使用者はシェーバー２０をホルダ内に配置し、シェービングヘッド２１を洗浄するプロセス並びにシェービング補助剤１０を切断ユニット２２に塗布するプロセスを開始する必要があるだけであり、それらは、例えば、洗浄流体６０及びシェービング補助剤１０の混合物が供給されるときに同時に遂行され得るし、或いは、連続的に遂行され得る。
【００７８】
本発明に従った供給装置１乃至７は、如何なる適切な種類のシェービング補助剤１０を供給するためにも使用され得る。例えば、シェービング補助剤１０はタルクを含み得るが、窒化ホウ素、それらの直径が好ましくは１００μｍよりも小さいガラス及び／又はプラスチックの小球、デンプン、アルミニウムデンプンオクテニルスクシネート、オキシ塩化ビスマス、シリコーン粉末、ナイロン粉末、ポリエチレン、ポリメタクリル酸メチル、ポリテトラフルオロエチレン、ステアリン酸亜鉛、ステアリン酸マグネシウム、タンニンのような他の材料も含み得る。シェービング補助剤１０は、潤滑ラッカー、又は、シェービング性能を強化する以外の他の機能、例えば、可能であれば着色剤を有する幾らかの材料を含む材料の混合物も含み得る。シェービング補助剤１０は、様々な方法で、例えば、吹付け、接着、又は、粘着によって、液体形態及び／又は固体形態で塗布され得る。シェービング補助剤１０を塗布するためにキャリアのような補助剤が使用されることも可能である。
【００７９】
本発明に従った供給装置１乃至７は、シェービング補助剤１０を如何なる種類のシェーバー２０、例えば、単一の細長い切断ユニットを含むシェーバー２０に塗布するためにも使用され得る。第一供給装置１に関して、塗布器ユニット４０の数及び構造は、シェービング補助剤１０が供給されるべきシェーバー２０の切断ユニットの数及び構造に適合され得ることが付記される。同一のことが第三結合装置６のノズル４４の数及び構造に当て嵌まる。
【００８０】
有利に、本発明に従った供給装置１乃至７は、装置１乃至７の動作の様々な特徴を制御するための制御ユニットを含む。故に、情報を備える制御ユニット、例えば、もしシェーバー２０が装置１乃至７内に存在するならば制御ユニットに通信するためのセンサをもたらすために、１つ又はそれよりも多くのセンサが配置され得る。シェーバー２０は、シェーバー２０の様々な構成素子の状態に関する情報を記憶するための記憶ユニットを具備し得る。例えば、シェービング補助剤１０を供給するプロセスが遂行されたとき、供給装置１乃至７の制御ユニットは、シェービング補助剤１０が補充されたシェーバー２０の記憶ユニットに通信し得るし、然る後、記憶ユニットは、シェーバー２０の使用数を計算し、シェーバー２０が供給装置１乃至７内に配置され且つ使用数が所定の使用数と一致するか或いは超過するときにシェービング補助剤１０を供給することが求められることを制御ユニットに通信し得る。
【００８１】
前記において、シェービング補助剤１０を電気シェーバー２０の切断ユニット２２に供給するための装置１乃至７が記載された。供給装置１乃至７は、シェーバー２０と別個に配置されることが意図され且つシェーバー２０を受容するよう構成されるスタンドアローン型ユニットとして設計される。この設計の結果として、この供給装置１乃至７は、シェーバー２０の内部に位置付けられる必要のある如何なる供給装置よりも多くのシェービング補助剤１０を収容するよう設計され得るので、使用者がシェービング補助剤１０を補充する必要は余り頻繁ではなくなる。供給装置１乃至７は、さらに、シェービング補助剤１０をシェーバー２０に供給する機能以外の少なくとも１つの他の機能、例えば、シェーバー２０のシェービングヘッド２１を洗浄する機能及び／又はシェーバー２０の電池を充電する機能を含み得る。
【図面の簡単な説明】
【００８２】
【図１ａ】シェービング補助剤を電気シェーバーのシェービングヘッドに供給するための装置と装置内に位置付けられるシェーバーとの第一実施態様を連続的状態で概略的に示す側面図である。
【図１ｂ】シェービング補助剤を電気シェーバーのシェービングヘッドに供給するための装置と装置内に位置付けられるシェーバーとの第一実施態様を連続的状態で概略的に示す側面図である。
【図１ｃ】シェービング補助剤を電気シェーバーのシェービングヘッドに供給するための装置と装置内に位置付けられるシェーバーとの第一実施態様を連続的状態で概略的に示す側面図である。
【図１ｄ】シェービング補助剤を電気シェーバーのシェービングヘッドに供給するための装置と装置内に位置付けられるシェーバーとの第一実施態様を連続的状態で概略的に示す側面図である。
【図２】シェービング補助剤を電気シェーバーのシェービングヘッドに供給するための装置と装置内に位置付けられるシェーバーとの第二実施態様を概略的に示す側面図である。
【図３】シェービング補助剤を電気シェーバーのシェービングヘッドに供給するための装置と装置内に位置付けられるシェーバーとの第三実施態様を概略的に示す側面図である。
【図４ａ】乾式シェービング補助剤の供給と洗浄流体の供給とを電気シェーバーを処理するための単一装置内に統合するための異なる可能性を示すブロック図である。
【図４ｂ】乾式シェービング補助剤の供給と洗浄流体の供給とを電気シェーバーを処理するための単一装置内に統合するための異なる可能性を示すブロック図である。
【図４ｃ】乾式シェービング補助剤の供給と洗浄流体の供給とを電気シェーバーを処理するための単一装置内に統合するための異なる可能性を示すブロック図である。
【図４ｄ】乾式シェービング補助剤の供給と洗浄流体の供給とを電気シェーバーを処理するための単一装置内に統合するための異なる可能性を示すブロック図である。
【図５】電気シェーバーのシェービングヘッドを洗浄し且つシェービング補助剤をシェービングヘッドに供給するための装置と装置内に位置付けられるシェーバーとの第一実施態様を２つの可能な位置で概略的に示す側面図である。
【図６】電気シェーバーのシェービングヘッドを洗浄し且つシェービング補助剤をシェービングヘッドに供給するための装置と装置内に位置付けられるシェーバーとの第二実施態様を概略的に示す側面図である。
【図７】電気シェーバーのシェービングヘッドを洗浄し且つシェービング補助剤をシェービングヘッドに供給するための装置の第三実施態様の一部を概略的に示す上面図である。
【図８】電気シェーバーのシェービングヘッドを洗浄し且つシェービング補助剤をシェービングヘッドに供給するための装置と装置内に位置付けられるシェーバーとの第四実施態様を概略的に示す側面図である。
【図１ａ】
2008523875.tif 000003
【図１ｂ】
2008523875.tif 000004
【図１ｃ】
2008523875.tif 000005
【図１ｄ】
2008523875.tif 000006
【図２】
2008523875.tif 000007
【図３】
2008523875.tif 000008
【図４ａ】
2008523875.tif 000009
【図４ｂ】
2008523875.tif 000010
【図４ｃ】
2008523875.tif 000011
【図４ｄ】
2008523875.tif 000012
【図５】
2008523875.tif 000013
【図６】
2008523875.tif 000014
【図７】
2008523875.tif 000015
【図８】
2008523875.tif 000016
【国際調査報告】
2008523875.tif 000017
2008523875.tif 000018
2008523875.tif 000019